(57)【特許請求の範囲】
【請求項１】
物品載置面を有したトレーと、このトレーを支持し得るトレー支持フレームを有した支持体とを備えてなり、同一構造をなす他の医療用ワゴンと前後方向にスタッキング可能に構成された医療用ワゴンであって、
前記支持体が、キャスタと、このキャスタに支持された上下方向に延びる左右の起立フレームと、これら左右の起立フレームの上端部から連続して延設された左右のハンドルフレームと、これら左右のハンドルフレームの前端部から前方に向かって連続して延設された前記トレー支持フレームを構成する左右の側支持部とを備えてなり、
前記左のハンドルフレーム及び左の側支持部が平面視において略直線状をなすように連続した左の直線状部分を構成するものであり、前記右のハンドルフレーム及び右の側支持部が平面視において略直線状をなすように連続した右の直線状部分を構成するものであり、前記左の直線状部分と右の直線状部分とが前方に向かうに連れて漸次近づくように配されており、
前記左右のハンドルフレームの少なくとも一部が、側面視において前記左右の側支持部よりも上に位置している医療用ワゴン。
【請求項２】
前記左右のハンドルフレームの少なくとも一部が、側面視において前記左右の起立フレームよりも後に位置している請求項１記載の医療用ワゴン。
【請求項３】
前記左右のハンドルフレームの間に、前記トレーの後端部が配されている請求項１又は２記載の医療用ワゴン。
【請求項４】
前記ハンドルフレームが、その頂部から後部に向かって、側面視において略四分の一円弧状に形成された部位を有している請求項１、２又は３記載の医療用ワゴン。
【発明の詳細な説明】
【技術分野】
【０００１】
本発明は、病院等の医療機関において好適に用いられる医療用ワゴンに関する。
【背景技術】
【０００２】
従来から、医療用資材等の物品を移動させるために、看護師や医療従事者等が使用する医療用ワゴンが知られている（例えば、特許文献１を参照）。
【０００３】
ところで、この種の医療用ワゴンを移動する操作は、左右方向に延びた直線状のフレームを使用者に把持させて行うのが通常である。
【０００４】
しかしながら、従来のものにおいては、左右方向に延びたフレームに加えられた使用者の荷重が、当該医療用ワゴンを移動させるために適切に伝達されない場合があり、使用者に対して移動の操作に煩わしさを与えることがあった。
【０００５】
しかも、従来のものは、不使用時において、単に複数台を隣接した状態で配置することしかできないため、比較的広範なスペースを占有してしまうという不具合がある。
【先行技術文献】
【特許文献】
【０００６】
【特許文献１】特開２００７−８２６６０号公報
【発明の概要】
【発明が解決しようとする課題】
【０００７】
本発明は、以上のような事情に着目してなされたもので、使用者が手を載せて好適に移動の操作を行い得るとともに、不使用時において複数台をスペース効率良く待機させることができる医療用ワゴンを提供することにある。
【課題を解決するための手段】
【０００８】
すなわち、本発明は次の構成をなしている。
【０００９】
請求項１に記載の発明は、物品載置面を有したトレーと、このトレーを支持し得るトレー支持フレームを有した支持体とを備えてなり、同一構造をなす他の医療用ワゴンと前後方向にスタッキング可能に構成された医療用ワゴンであって、前記支持体が、キャスタと、このキャスタに支持された上下方向に延びる左右の起立フレームと、これら左右の起立フレームの上端部から連続して延設された左右のハンドルフレームと、これら左右のハンドルフレームの前端部から前方に向かって連続して延設された前記トレー支持フレームを構成する左右の側支持部とを備えてなり、前記左のハンドルフレーム及び左の側支持部が平面視において略直線状をなすように連続した左の直線状部分を構成するものであり、前記右のハンドルフレーム及び右の側支持部が平面視において略直線状をなすように連続した右の直線状部分を構成するものであり、前記左の直線状部分と右の直線状部分とが前方に向かうに連れて漸次近づくように配されており、前記左右のハンドルフレームの少なくとも一部が、側面視において前記左右の側支持部よりも上に位置している医療用ワゴンである。
【００１０】
請求項２に記載の発明は、前記左右のハンドルフレームの少なくとも一部が、側面視において前記左右の起立フレームよりも後に位置している請求項１記載の医療用ワゴンである。
【００１１】
請求項３に記載の発明は、前記左右のハンドルフレームの間に、前記トレーの後端部が配されている請求項１又は２記載の医療用ワゴンである。
【００１２】
請求項４に記載の発明は、前記ハンドルフレームが、その頂部から後部に向かって、側面視において略四分の一円弧状に形成された部位を有している請求項１、２又は３記載の医療用ワゴンである。
【発明の効果】
【００１３】
以上説明したように本発明によれば、使用者が手を載せて好適に移動の操作を行い得るとともに、不使用時において複数台をスペース効率良く待機させることができる医療用ワゴンを提供することができるものとなる。
【図面の簡単な説明】
【００１４】
【図１】本発明の一実施形態を示す斜視図。
【図２】同実施形態における正面図。
【図３】同実施形態における背面図。
【図４】同実施形態における右側面図。
【図５】図４における部分拡大図。
【図６】同実施形態における平面図。
【図７】図６に対応する説明図。
【図８】図２におけるＸ−Ｘ線断面図。
【図９】同実施形態における分解斜視図。
【図１０】同実施形態におけるスタッキング状態を説明するための側面図。
【図１１】図１０におけるＹ方向矢視図。
【発明を実施するための形態】
【００１５】
以下、本発明の一実施形態を、図１〜１１を参照して説明する。
【００１６】
この実施形態は、本発明を、家具である医療用ワゴンＡに適用したものである。医療用ワゴンＡは、病院等の医療機関において好適に用いられるものである。医療用ワゴンＡは、医療機関内において看護師や医療従事者が種々の物品を移動する際に使用するものであり、例えば、処置室、病棟のナースステーション等に複数配置され得るものである。
【００１７】
以下、医療用ワゴンＡの各構成について詳述する。
【００１８】
医療用ワゴンＡは、金属製のパイプ材を主体に構成された支持体Ｂと、この支持体Ｂに対して上下方向に回動可能に支持されたトレーＣとを備えたものである。医療用ワゴンＡは、図１０、及び、図１１に示すように、同一構造をなす他の医療用ワゴンＡ’と前後方向にスタッキング可能に構成されている。
【００１９】
はじめに、支持体Ｂについて説明する。
【００２０】
支持体Ｂは、前部の二箇所、及び後部の二箇所にそれぞれ配設されたキャスタｂ１と、後部側のキャスタｂ１の上に配されるとともに当該キャスタｂ１に支持され上下方向に延びる左右の並行フレームたる左右の起立フレームｂ３、ｂ４と、左右の起立フレームｂ３、ｂ４の上端部から連続して延設された左右のハンドルフレームｂ５、ｂ６と、これら左右のハンドルフレームｂ５、ｂ６の前端部から前方に向かって連続して延設された直線状をなす左右の側支持部ｂ２１を有した上のトレー支持フレームｂ２とを備えている。トレー支持フレームｂ２の上には、トレーＣ（上のトレーＣ）が配されている。前側のキャスタｂ１の上には、上のトレー支持部フレームｂ２と略同一の構成をなす下のトレー支持フレームｂ７が配されている。下のトレー支持フレームｂ７における直線状をなす左右の側支持部ｂ７１の後端部は、左右の起立フレームｂ３、ｂ４の下端部近傍に接続している。トレー支持フレームｂ７の上には、トレーＣ（下のトレーＣ）が配される。左右の起立フレームｂ３、ｂ４間には、直線状をなす第一の連結部材ｂ８が架設されている。左右のハンドルフレームｂ５、ｂ６間には、直線状をなす第二の連結部材ｂ９が架設されている。
【００２１】
この実施形態では、支持体Ｂにおけるキャスタｂ１以外の部分は、金属製のパイプ材により構成されており、複数のパイプ材を所定の箇所で折り曲げるとともに所定の箇所を溶接により強固に連結することにより構成されている。後部側のキャスタｂ１にはロック機構ｂ１１を備えており、使用者の足の操作によって所定の位置で車輪を固定することができるようになっている。
【００２２】
上のトレー支持フレームｂ２は、トレーＣの側部を下側から支持し得る左右の側支持部ｂ２１と、これら左右の側支持部ｂ２１における前端部間を連結しトレーＣの前部を下側から支持し得る前支持部ｂ２２と、トレーＣと着脱可能に接続し得るトレー取付部ｂ２３とを備えている。トレー支持フレームｂ２は、トレーＣを、物品（図示せず）が載置できる状態に直接又は間接的に支持するものである。
【００２３】
左右の側支持部ｂ２１は、平面視において略直線状の形状をなしている。左右の側支持部ｂ２１は、左右対称に配されており、前方に向かうに連れて漸次近づくように配されている。左右の側支持部ｂ２１の後部は、平面視においてトレーＣよりも外方に露出するように構成されている。
【００２４】
前支持部ｂ２２は、左右の側支持部ｂ２１の前端間に架設されている。前支持部ｂ２２は、トレーＣにおける前部側を下面側から支持し得るようになっている。なお、前支持部ｂ２２の上面側には、適宜、トレーＣとの衝撃を緩和するために緩衝部材（図示せず）が配設される。
【００２５】
トレー取付部ｂ２３は、側支持部ｂ２１よりも細径の部材により形成されている。トレー取付部ｂ２３は、トレーＣの後部側に配され、当該トレーＣに設けられた軸保持部ｃ２と係合し得る左右方向に延びる回転軸ｋｊと、この回転軸ｋｊと異なる方向である前後方向に延び回転軸ｋｊと左右の側支持部ｂ２１との間を連結する回転軸支持部ｊｓとを備えている。換言すれば、トレー取付部ｂ２３は、左右方向に延びる回転軸ｋｊと、この回転軸ｋｊの両端から当該回転軸ｋｊと略直交する前方向に延び回転軸ｋｊの端部と左右の側支持部ｂ２３との間を連結する回転軸支持部ｊｓとを備えたものであり、平面視略コ字状に形成されたものである。
【００２６】
回転軸ｋｊは、ワゴンＣに形成された左右の下方向壁ｄｗを含む左右の外壁ｓ７、ｓ８の内側に配されている。すなわち、回転軸ｋｊは、左右の外壁ｓ７、ｓ８の間に位置し得る長さ寸法に設定されている。回転軸支持部ｊｓは、トレーＣにおける物品載置面ｃ１の周囲に形成された周壁部材Ｓと係わり合ってトレーＣが支持体Ｂに対して左右方向に動きにくくなるように構成されている。なお、支持体ＢとトレーＣとの係わり合いの詳細については後述することとする。
【００２７】
左右の並行フレームたる左右の起立フレームｂ３、ｂ４は、上下方向に延びてなり、後側のキャスタｂ１に支持されている。左右の起立フレームｂ３、ｂ４は、略平行に配されている。左右の起立フレームｂ３、ｂ４の略中間部間には、左右方向に直線状に延びる第一の連結部材ｂ８が配されている。第一の連結部材ｂ８は、左右の起立フレームｂ３、ｂ４よりも細径の部材が採用されている。
【００２８】
左右のハンドルフレームｂ５、ｂ６は、使用者が通常の使用状態において把持し得る部位を構成している。左右のハンドルフレームｂ５、ｂ６は、左右対称に配されている。すなわち、左のハンドルフレームｂ５と右のハンドルフレームｂ６とは、それぞれ独立して設けられている。
【００２９】
左右のハンドルフレームｂ５、ｂ５は、左右の起立フレームｂ３、ｂ４の上端部から連続し、側面視において後傾した態様で直線状に延びた直線ハンドルフレーム部ｂ５１、ｂ６１と、これら直線ハンドルフレーム部ｂ５１、ｂ６１の上端部からそれぞれ連続し、側面視において略二分の一円弧状に湾曲する部位を有してなる湾曲ハンドルフレーム部ｂ５２、ｂ６２とを備えている。
【００３０】
左のハンドルフレームｂ５、及び、トレー支持フレームｂ２を構成する左の側支持部ｂ２１は、図６及び図７に示すように、平面視において略直線状をなすように連続した左の直線状部分ｓｔ１を構成している。右のハンドルフレームｂ６、及び、トレー支持フレームｂ２を構成する右の側支持部ｂ２１は、図６及び図７に示すように、平面視において略直線状をなすように連続した右の直線状部分ｓｔ２を構成している。この実施形態では、左の直線状部分ｓｔ１と右の直線状部分ｓｔ２とが前方に向かうに連れて漸次近づくように配されている。平面視における左右のハンドルフレームｂ５、ｂ６の間には、トレーＣの後端部が配されている。
【００３１】
図７は、特に、左右の直線状部分ｓｔ１、ｓｔ２を説明するためのものである。すなわち、左右のハンドルフレームｂ５、ｂ６は、それぞれ、直線ハンドルフレーム部ｂ５１、ｂ６１と湾曲ハンドルフレーム部ｂ５２、ｂ６２とを備えてなり、平面視において前後方向に延びる直線状をなしている。そして、左右のハンドルフレームｂ５、ｂ６の前端に連続する側支持部ｂ２１は、左右のハンドルフレームｂ５、ｂ６が延びる方向と同一の方向に延びている。換言すれば、左右の直線状部分はｓｔ１、ｓｔ２は、医療用ワゴンＡの左右方向の仮想中心線ｃｔを中心にして左右対称に配されており、前方に向かうに連れて左の直線状部分ｓｔ１と右の直線状部分ｓｔ２との離間距離が漸次短くなるように設定されている。
【００３２】
左右のハンドルフレームｂ５、ｂ６の一部は、図４、及び、図５に示すように、側面視において左右の側支持部２１よりも上に位置している。左右のハンドルフレームｂ５、ｂ６の一部は、側面視において左右の起立フレームｂ３、ｂ４よりも後に位置している。左右のハンドルフレームｂ５、ｂ６は、その頂部ｔｐから後部に向かって、側面視において略四分の一円弧状に形成された部位ｑｔを有している。換言すれば、左右のハンドルフレームｂ５、ｂ６における湾曲ハンドルフレーム部ｂ５１、ｂ６１は、図４、及び、図５に示すように、側面視において最も上に位置する頂部ｔｐから後方に向かって略四分の一円弧状に形成された部位ｑｔを備えている。
【００３３】
左右のハンドルフレームｂ５、ｂ６における略中間部間に左右方向の直線状に延びる第二の連結部材ｂ９が配されている。
【００３４】
下のトレー支持フレームｂ７、上のトレー支持フレームｂ２と略同一の構成をなしているため、詳細な説明を省略する。また、下のトレー支持フレームｂ７が支持する下のトレーＣも上のトレーＣと同一の略同一の構成をなしているため共通の符号を付して説明を省略する。すなわち、下のトレー支持フレームｂ７は、下のトレーＣの側部を下側から支持し得る左右の側支持部ｂ７１と、これら左右の側支持部ｂ７１における前端部間を連結しトレーＣの前部を下側から支持し得る前支持部ｂ７２と、トレーＣと着脱可能に接続し得るトレー取付部ｂ７３とを備えている。トレー取付部ｂ７３は、側支持部ｂ７１よりも細径の部材により形成されている。トレー取付部ｂ７３は、トレーＣの後部側に配され、当該トレーＣに設けられた軸保持部ｃ２と係合し得る左右方向に延びる回転軸ｋｊと、この回転軸ｋｊと異なる方向である前後方向に延び回転軸ｋｊと左右の側支持部ｂ７１との間を連結する回転軸支持部ｊｓとを備えている。
【００３５】
続いて、トレーＣについて説明する。
【００３６】
トレーＣは、合成樹脂により形成されている。トレーＣは、支持体Ｂに対して回動可能且つ着脱可能に構成されている。トレーＣは、平面視において前後方向に長い略長方形状をなす物品載置面ｃ１を有したトレー本体Ｈと、このトレー本体Ｈの周縁に設けられた周壁部材Ｓとを備えている。
【００３７】
トレーＣは、前端部における下側の部位に下向きの傾斜面ｋａを有した前の案内部ｃ３を有するとともに後端部における上面側の部位に上向き傾斜面ｋｂを有した後の案内部ｃ４を有している。前の案内部ｃ３は、正面側から視認し得る位置に設けられており、後の案内部ｃ４は、背面側から視認し得る位置に設けられている。
【００３８】
この実施形態では、前の案内部ｃ３は、トレー本体Ｈと周壁部材Ｓとの間を亘る位置に形成されている。後の案内部ｃ４は、周壁部材Ｓに形成されている。下向きの傾斜面ｋａは前から後に向かって漸次下方に位置するように傾斜している。上向きの傾斜面ｋｂは後から前に向かって漸次上方に位置するように傾斜している。
【００３９】
前の案内部ｃ３、又は、後の案内部ｃ４の何れか一方は、同一構造をなす他の医療用ワゴンＡ’とスタッキングする際に、当該他の医療用ワゴンＡ’のトレーＣ’に当接し得るように構成されている。より詳しく言えば、前の案内部ｃ３は、同一構造をなす他の医療用ワゴンＡ’とスタッキングする際に、当該他の医療用ワゴンＡ’のトレーＣ’における後の案内部ｃ４’と係わり得るものとなっている。後の案内部ｃ４は、同一構造をなす他の医療用ワゴンＡ’とスタッキングする際に、当該他の医療用ワゴンＡ’のトレーにおける前の案内部ｃ３と係わり得るものとなっている。
【００４０】
トレーＣは、下面側に前後方向に延びるリブｒｂを複数備えている。リブｒｂは、トレー本体Ｈの下面、及び、周壁部材Ｓの下面に連続して設けられている。リブｒｂは前後方向に延びる態様で下向きに突設されたレール状をなしている。リブｒｂは左右方向に複数設けられている。この実施形態では、前の案内部ｃ３は、前側に向かって露出させたリブｒｂを含んで構成されている。
【００４１】
トレー本体Ｈは、上面側に略フラットな物品載置面ｃ１を備えている。物品載置面ｃ１は、前後方向に長い長方形状をなしており、医療用品載置用の長方形のバットが四つ（前後に二個ずつ）並べて配置し得る大きさに設定されている。
【００４２】
周壁部材Ｓは、物品載置面ｃ１を囲繞している部位である。周壁部材Ｓは、トレー本体Ｈの周縁部から上方に立設された上方向壁ｕｐを含む前後左右の内壁ｓ１、ｓ２、ｓ３、ｓ４と、内壁ｓ１、ｓ２、ｓ３、ｓ４の外側に形成され当該内壁ｓ１、ｓ２、ｓ３、ｓ４よりも下方に延びる下方向壁ｄｗを含む前後左右の外壁ｓ４、ｓ６、ｓ７、ｓ８とを備えている。
【００４３】
内壁ｓ１、ｓ２、ｓ３、ｓ４は、トレー本体Ｈの周縁から連設されている。内壁ｓ１、ｓ２、ｓ３、ｓ４は、物品載置面ｃ１に載せられた物品（図示せず）が当接し得る位置に形成されており、物品が周囲から落下しないようになっている。
【００４４】
外壁ｓ５、ｓ６、ｓ７、ｓ８は、内壁ｓ１、ｓ２、ｓ３、ｓ４の上端縁から連接されている。外壁ｓ５、ｓ６、ｓ７、ｓ８は、内壁ｓ１、ｓ２、ｓ３、ｓ４の外側に位置するよう形成されている。
【００４５】
周壁部材Ｓには、トレー取付部ｂ２３の回転軸ｋｊに外嵌して当該回転軸ｋｊを枢支する軸保持部ｃ２を備えている。この実施形態では、軸保持部ｃ２は、周壁部材Ｓにおける後の内壁ｓ２と後の外壁ｓ６との間に形成されている。
【００４６】
周壁部材Ｓには、トレー取付部ｂ２３の回転軸支持部ｊｓと係わり合い、トレーＣが支持体Ｂに対して左右方向にずれ動くのを抑制するための係合部ｃ５を備えている。この実施形態では、係合部ｃ５は、周壁部材Ｓにおける左の内壁ｓ３と左の外壁ｓ７との間、及び、右の内壁ｓ４と右の外壁ｓ８との間に設けられている。係合部ｃ５は、トレーＣの後部側における左右の周壁部材Ｓに形成されており、回転軸支持部ｊｓを収容し得るように前後方向に延びた溝状の部位である。係合部ｃ５は、左右に対をなして配された回転軸支持部ｊｓと密に摺接し得るように設定されている。
【００４７】
この実施形態では、同一構造をなす他の医療用ワゴンＡ’に対して、後方から医療用ワゴンＡを移動させて、他の医療用ワゴンＡ’とのスタッキングを行った場合、当該スタッキング状態において、医療用ワゴンＡのトレーＣの少なくとも一部が前記他の医療用ワゴンＡ’のトレーＣ’の上部に重なり得るものとなっている。より具体的には、スタッキング状態において、他の医療用ワゴンＡ’のトレーＣ’における後部における上側に、医療用ワゴンＡのトレーＣの前部が重なり得るように配される。トレーＣは、スタッキング状態において、斜めに傾斜した姿勢を採り得るようになっている。
【００４８】
以上説明したように、本実施形態に係る医療用ワゴンＡは、物品載置面ｃ１を有したトレーＣと、このトレーＣを支持し得るトレー支持フレームｂ２を有した支持体Ｂとを備えている。そして、医療用ワゴンＡは、同一構造をなす他の医療用ワゴンＡ’と前後方向にスタッキング可能に構成されている。支持体Ｂが、キャスタｂ１と、このキャスタｂ１に支持された上下方向に延びる左右の起立フレームｂ３、ｂ４と、これら左右の起立フレームｂ３、ｂ４の上端部から連続して延設された左右のハンドルフレームｂ５、ｂ６と、これら左右のハンドルフレームｂ５、ｂ６の前端部から前方に向かって連続して延設されたトレー支持フレームｂ２を構成する左右の側支持部ｂ２１とを備えている。左のハンドルフレームｂ３、及び、左の側支持部ｂ２１が平面視において略直線状をなすように連続した左の直線状部分ｓｔ１を構成するものであり、右のハンドルフレームｂ６、及び、右の側支持部ｂ２１が平面視において略直線状をなすように連続した右の直線状部分ｓｔ２を構成するものである。左の直線状部分ｓｔ１と右の直線状部分ｓｔ２とが前方に向かうに連れて漸次近づくように配されている。そして、左右のハンドルフレームｂ５、ｂ６の少なくとも一部が、側面視において左右の側支持部ｂ２１よりも上に位置している。このため、使用者が手を載せて好適に移動の操作を行い得るとともに、不使用時において複数台をスペース効率良く待機させることができる医療用ワゴンを提供することができるものとなる。つまり、この医療用ワゴンＡは、左右のハンドルフレームｂ５、ｂ６を備えており、左右のハンドルフレームｂ５、ｂ６の少なくとも一部が、側面視において左右の側支持部ｂ２１よりも上に位置している。このため、ハンドルフレームｂ５、ｂ６の一部がより使用者側に位置するものとなるため、使用者の手が及びやすいものとなる。しかも、左右のハンドルフレームｂ５、ｂ６が、左右別個に設けられており、且つ、前後方向に延びたものとなっているため、使用者の手を載せやすいものとなり、好適に移動の操作を行い得るものとなる。さらに、左の直線状部分ｓｔ１と右の直線状部分ｓｔ２とが前方に向かうに連れて漸次近づくように配されているため、同一構造をなす他の医療用ワゴンＡ’と前後方向にスタッキングを好適に行い得るものとなっている。
【００４９】
左右のハンドルフレームｂ５、ｂ６の少なくとも一部が、側面視において左右の起立フレームｂ３、ｂ４よりも後に位置している。このため、ハンドルフレームｂ５、ｂ６の一部がより使用者側に位置するものとなるため、使用者の手が及びやすいものとなる。
【００５０】
左右のハンドルフレームｂ５、ｂ６の間に、トレーＣの後端部が配されている。このため、使用者が左右のハンドルフレームｂ５、ｂ６を把持している状態で、トレーＣの上に載置された物品等を視認し易いものとなっている。
【００５１】
左右のハンドルフレームｂ５、ｂ６が、その頂部ｔｐから後部に向かって、側面視において略四分の一円弧状に形成された部位ｑｔを有している。このため、使用者の背丈の違いにも好適に対応し得るものとなる。
【００５２】
なお、本発明は、以上に詳述した実施形態に限られるものではない。
【００５３】
左右のハンドルフレームは、その一部が側面視において左右の側支持部よりも上に位置しているものであればよい。このため、左右のハンドルフレームの形状は本発明の趣旨を逸脱しない範囲で種々の形状を採用することができるものである。
【００５４】
その他、各部の具体的構成についても上記実施形態に限られるものではなく、本発明の趣旨を逸脱しない範囲で種々変形が可能である。
【符号の説明】
【００５５】
Ａ…医療用ワゴン
Ｂ…支持体
ｂ２…トレー支持フレーム（上のトレー支持フレーム）
ｂ２１…側支持部
ｂ２３…トレー取付部
ｂ３…左のハンドルフレーム
ｂ４…右のハンドルフレーム
Ｃ…トレー
ｓｔ１…左の直線部分
ｓｔ２…右の直線部分
【図１】
0006536278.tif 000002
【図２】
0006536278.tif 000003
【図３】
0006536278.tif 000004
【図４】
0006536278.tif 000005
【図５】
0006536278.tif 000006
【図６】
0006536278.tif 000007
【図７】
0006536278.tif 000008
【図８】
0006536278.tif 000009
【図９】
0006536278.tif 000010
【図１０】
0006536278.tif 000011
【図１１】
0006536278.tif 000012